(57)【要約】【課題】一対の半割磁性体、又は、その半割磁性体を個々に保持した一対のケースを、良好な強度で締め付けることのできる保持具を提供すること。【解決手段】帯体１１，係合部１３，係合部１４は、結束バンドとして構成されている。帯体１１がフェライトクランプの周面に締め付けられた後、フェライトクランプの両端から突出した電線に係合部１３，１４が締め付けられる。すると、帯体１１に係合部１３，１４を連結する連結部１５は、一対の係合部１３，１４を連結するように、フェライトクランプの軸に沿った方向に配設される。帯体１１と連結部１５とは直交していないので、そのときに帯体１１にねじれが生じ、フェライトクランプを良好な強度で締め付けることができる。【選択図】図１
2015103613.tif 000002
【特許請求の範囲】
【請求項１】
筒状体を軸方向に沿って２分割した形状を有する一対の半割磁性体を、前記各半割磁性体が前記筒状体として組み合わされ、かつ、その筒状体の軸に沿った貫通孔に電線が挿入された状態に保持する保持具であって、
前記筒状体の周面、又は、前記各半割磁性体が前記筒状体として組み合わされるように前記各半割磁性体を個々に保持した一対のケースの周面に巻回されて、前記一対の半割磁性体又は前記一対のケースを締め付ける帯体と、
前記貫通孔の開口部との対向位置で、当該開口部から突出した前記電線に係合する係合部と、
前記帯体と前記係合部とを連結する連結部と、
を備え、
前記連結部が前記帯体と連結される部分の中心から、前記係合部が前記電線に係合したときにその係合部に対して前記電線の中心が配設される位置に至る方向が、当該保持具に外力が作用していない自然状態では、前記帯体の長手方向に対して９０°とは異なる角度で交差することを特徴とする保持具。
【請求項２】
前記角度は、７５°〜８５°の間のいずれかの角度であることを特徴とする請求項１に記載の保持具。
【請求項３】
前記連結部及び前記帯体は長尺の板状に構成され、前記連結部及び前記帯体が平面状に展開されたとき、前記連結部及び前記帯体の板厚方向が揃うことを特徴とする請求項１又は２に記載の保持具。
【請求項４】
前記係合部は前記貫通孔の開口部に対応して一対設けられ、
前記連結部は、一方の前記係合部と前記帯体と他方の前記係合部とを順次連結する一連の長尺板状の部材によって構成されたことを特徴とする請求項１〜３のいずれか１項に記載の保持具。
【請求項５】
筒状体を軸方向に沿って２分割した形状を有する一対の半割磁性体を、前記各半割磁性体が前記筒状体として組み合わされ、かつ、その筒状体の軸に沿った貫通孔に電線が挿入された状態に保持する保持具であって、
前記筒状体の周面、又は、前記各半割磁性体が前記筒状体として組み合わされるように前記各半割磁性体を個々に保持した一対のケースの周面に巻回されて、前記一対の半割磁性体又は前記一対のケースを締め付ける帯体と、
前記貫通孔の一対の開口部との対向位置で、当該各開口部から突出した前記電線にそれぞれ係合する一対の係合部と、
一方の前記係合部と前記帯体と他方の前記係合部とを順次連結する連結部と、
を備え、
前記各係合部が前記電線に係合したときにその各係合部に対して前記電線の中心が配設される位置を結ぶ線が、当該保持具に外力が作用していない自然状態では、前記帯体の長手方向に対して９０°とは異なる角度で交差することを特徴とする保持具。
【請求項６】
前記係合部は、前記電線に巻回して固定されることを特徴とする請求項１〜５のいずれか１項に記載の保持具。
【発明の詳細な説明】
【技術分野】
【０００１】
本発明は、筒状体を軸方向に沿って２分割した形状を有する一対の半割磁性体を、前記各半割磁性体が前記筒状体として組み合わされ、かつ、その筒状体の軸に沿った貫通孔に電線が挿入された状態に保持する保持具に関する。
【背景技術】
【０００２】
従来、電線に流れる雑音を吸収する機器として、筒状体を軸方向に沿って２分割した半割磁性体である一対のフェライトコアを電線の周囲に外嵌させ、このフェライトコアにより電線に流れる雑音電流を吸収するフェライトクランプが知られている。このフェライトクランプとしては、各フェライトコアを個々に保持する一対のプラスチック製のケースをヒンジにより連結し、この一対のケースを閉じることによって、各フェライトコアを前記筒状体として組み合わされる位置に保持するものがある。
【０００３】
この種のフェライトクランプには、一対のケースを閉じた状態に保持するロック機構を備えたものが多いが、そのロック機構の外れを防止するため、閉じられたフェライトクランプの周面に更に結束バンドを巻回して締め付けることもなされる場合がある（例えば、特許文献１参照）。
【先行技術文献】
【特許文献】
【０００４】
【特許文献１】特開２０１２−９９７０７号公報
【発明の概要】
【発明が解決しようとする課題】
【０００５】
ところが、結束バンドは、例えばラチェットを利用した結束バンドにおいてはラチェットの１歯分ずつといった具合に、結束バンドが形成する環の内周の長さを不連続な値にしか調整できない場合が多い。このため、フェライトクランプ又はフェライトコア（半割磁性体）を締め付ける強度に向上の余地があった。また、前記環の内周の長さを任意に調整可能な結束バンドを使用したとしても、その結束バンドを単純に巻回して締め付けるだけの場合に比べて、より強固にフェライトクランプ又はフェライトコア（半割磁性体）を締め付けたい場合がある。
【０００６】
以下に説明する技術は、上述のような課題を解決しようとするものであり、その目的の一つは、一対の半割磁性体、又は、その半割磁性体を個々に保持した一対のケースを、良好な強度で締め付けることのできる保持具を提供することにある。
【課題を解決するための手段】
【０００７】
以下に説明する保持具は、筒状体を軸方向に沿って２分割した形状を有する一対の半割磁性体を、前記各半割磁性体が前記筒状体として組み合わされ、かつ、その筒状体の軸に沿った貫通孔に電線が挿入された状態に保持する保持具であって、前記筒状体の周面、又は、前記各半割磁性体が前記筒状体として組み合わされるように前記各半割磁性体を個々に保持した一対のケースの周面に巻回されて、前記一対の半割磁性体又は前記一対のケースを締め付ける帯体と、前記貫通孔の開口部との対向位置で、当該開口部から突出した前記電線に係合する係合部と、前記帯体と前記係合部とを連結する連結部と、を備え、前記連結部が前記帯体と連結される部分の中心から、前記係合部が前記電線に係合したときにその係合部に対して前記電線の中心が配設される位置に至る方向が、当該保持具に外力が作用していない自然状態では、前記帯体の長手方向に対して９０°とは異なる角度で交差することを特徴とする。
【０００８】
このように構成された保持具では、一対の半割磁性体を組合せてなる筒状体の周面、又は、各半割磁性体が筒状体として組み合わされるように各半割磁性体を個々に保持した一対のケースの周面に、帯体が巻回される。この帯体は、前記一対の半割磁性体又は前記一対のケースを締め付ける。また、係合部は、前記筒状体の貫通孔の開口部との対向位置で、当該開口部から突出した電線に係合する。
【０００９】
そして、前記帯体と前記係合部とは、連結部を介して連結されている。また、連結部が帯体と連結される部分の中心から、係合部が電線に係合したときにその係合部に対して電線の中心が配設される位置に至る方向は、当該保持具に外力が作用していない自然状態では、帯体の長手方向に対して９０°とは異なる角度で交差する。このため、帯体が前記筒状体又は前記ケースの周面に巻回され、かつ、係合部が電線に係合した状態（以下、装着状態という）では、前記角度が９０°とは異なっていることに起因して帯体にねじれが生じる。このねじれは、帯体が形成する環の内周を小さくし、帯体が前記筒状体又は前記ケースの周面を締め付ける強度を向上させる。したがって、この保持具を用いた場合、一対の半割磁性体、又は、その半割磁性体を個々に保持した一対のケースを、良好な強度で締め付けることができる。
【００１０】
なお、前記角度は、７５°〜８５°の間のいずれかの角度であってもよい。前記角度が７５°以上（９０°未満）であった方が、保持具の装着作業が容易である。また、前記角度が８５°以下であった方が前記ねじれによる効果が良好に表れる。したがって、この場合、装着作業の作業性を一層向上させ、かつ、一対の半割磁性体、又は、その半割磁性体を個々に保持した一対のケースを、一層良好な強度で締め付けることができる。なお、これらの角度は、臨界的意義を有するものではなく、おおよその目安として示された角度である。
【００１１】
また、前記連結部及び前記帯体は長尺の板状に構成され、前記連結部及び前記帯体が平面状に展開されたとき、前記連結部及び前記帯体の板厚方向が揃ってもよい。その場合、前記装着状態において前記ねじれを生じさせる力は、板状の部材の面に沿って（すなわち、曲げ剛性の大きい方向に沿って）作用し、前記ねじれを一層良好に生じさせることができる。したがって、この場合、一対の半割磁性体、又は、その半割磁性体を個々に保持した一対のケースを、一層良好な強度で締め付けることができる。
【００１２】
また、前記係合部は前記貫通孔の開口部に対応して一対設けられ、前記連結部は、一方の前記係合部と前記帯体と他方の前記係合部とを順次連結する一連の長尺板状の部材によって構成されてもよい。その場合、前記筒状体の貫通孔両端側に一対の係合部が配設され、前記装着状態では、その一対の係合部を連結するように連結部が配設される。このため、前記装着状態において前記ねじれを生じさせる力が一層良好に発生する。したがって、この場合、一対の半割磁性体、又は、その半割磁性体を個々に保持した一対のケースを、一層良好な強度で締め付けることができる。
【００１３】
また、このように係合部が一対設けられる場合は、一対の係合部が前記電線に係合したときにその各係合部に対して電線の中心が配設される位置を結ぶ線が、当該保持具に外力が作用していない自然状態で前記帯体の長手方向に対して９０°とは異なる角度で交差しても、同様に帯体にねじれが生じる。このため、次のような保持具でも、同様に、一対の半割磁性体、又は、その半割磁性体を個々に保持した一対のケースを、良好な強度で締め付けることができる。
【００１４】
すなわち、筒状体を軸方向に沿って２分割した形状を有する一対の半割磁性体を、前記各半割磁性体が前記筒状体として組み合わされ、かつ、その筒状体の軸に沿った貫通孔に電線が挿入された状態に保持する保持具であって、前記筒状体の周面、又は、前記各半割磁性体が前記筒状体として組み合わされるように前記各半割磁性体を個々に保持した一対のケースの周面に巻回されて、前記一対の半割磁性体又は前記一対のケースを締め付ける帯体と、前記貫通孔の一対の開口部との対向位置で、当該各開口部から突出した前記電線にそれぞれ係合する一対の係合部と、一方の前記係合部と前記帯体と他方の前記係合部とを順次連結する連結部と、を備え、前記各係合部が前記電線に係合したときにその各係合部に対して前記電線の中心が配設される位置を結ぶ線が、当該保持具に外力が作用していない自然状態では、前記帯体の長手方向に対して９０°とは異なる角度で交差することを特徴とする保持具でも、同様の効果が生じる。
【００１５】
また、前記係合部は、前記電線に巻回して固定されてもよい。その場合、係合部が電線に固定されることによって、前記筒状体の位置も電線上の所定位置に位置決めされる。したがって、一対の半割磁性体を組合せてなる前記筒状体による雑音電流の吸収が、一層良好に行われる。
【図面の簡単な説明】
【００１６】
【図１】第１実施形態の保持具を表す図で、（Ａ）は平面図、（Ｂ）は正面図、（Ｃ）は下面図、（Ｄ）は右側面図、（Ｅ）は右上後方斜視図、（Ｆ）は右下後方斜視図である。
【図２】（Ａ）は図１のＡ−Ａ線断面図で、（Ｂ）は図１のＢ−Ｂ線断面図である。
【図３】前記保持具の使用例を表す斜視図で、（Ａ）は斜視図、（Ｂ）は平面図、（Ｃ）は正面図、（Ｄ）は下面図である。
【図４】第２実施形態の保持具を表す図で、（Ａ）は平面図、（Ｂ）は正面図、（Ｃ）は下面図、（Ｄ）は右側面図、（Ｅ）は右上後方斜視図、（Ｆ）は右下後方斜視図である。
【図５】その保持具の使用例を表す斜視図で、（Ａ）は斜視図、（Ｂ）は平面図、（Ｃ）は正面図、（Ｄ）は下面図である。
【図６】第３実施形態の保持具を表す図で、（Ａ）は平面図、（Ｂ）は正面図、（Ｃ）は下面図、（Ｄ）は右側面図、（Ｅ）は右上後方斜視図、（Ｆ）は右下後方斜視図である。
【図７】その保持具の使用例を表す斜視図で、（Ａ）は斜視図、（Ｂ）は平面図、（Ｃ）は正面図、（Ｄ）は下面図である。
【図８】第４実施形態の保持具を表す図で、（Ａ）は平面図、（Ｂ）は正面図、（Ｃ）は下面図、（Ｄ）は右側面図、（Ｅ）は右上後方斜視図、（Ｆ）は右下後方斜視図である。
【図９】その保持具の樹脂部品を表す図で、（Ａ）は平面図、（Ｂ）は正面図、（Ｃ）は下面図、（Ｄ）は右側面図、（Ｅ）は右上後方斜視図、（Ｆ）は右下後方斜視図である。
【図１０】その保持具の帯体を表す斜視図である。
【図１１】第４実施形態の保持具の使用例を表す図で、（Ａ）は斜視図、（Ｂ）は平面図、（Ｃ）は正面図、（Ｄ）は下面図である。
【図１２】第５実施形態の保持具を表す図で、（Ａ）は平面図、（Ｂ）は正面図、（Ｃ）は下面図である。
【図１３】その保持具の使用例を表す図で、（Ａ）は斜視図、（Ｂ）は平面図、（Ｃ）は正面図、（Ｄ）は下面図である。
【発明を実施するための形態】
【００１７】
次に、本発明の実施形態について、一例を挙げて説明する。なお、以下の説明においては、フェライトクランプ９０（図３，図５，図７，図１１，図１３参照）に装着される際に当該フェライトクランプ９０に当接する側を上方とする。また、フェライトクランプ９０に装着される際に当該フェライトクランプ９０の中心軸に沿って配設される方向を前後方向とする。ただし、これらの各方向は、保持具を構成する各部の相対的な位置関係を簡潔に説明するために規定した方向にすぎない。実際に保持具を利用するに当たって、保持具がどのような方向に向けられるかは任意であり、例えば、図中に示す上下方向が重力との関係で鉛直方向とは一致しない状態で使用されてもかまわない。
【００１８】
［第１実施形態］
図１（Ａ）〜図１（Ｆ）に示す保持具１０は、帯体１１と、その帯体１１の前後に配置される係合部１３，１４と、係合部１３，帯体１１，係合部１４を順次連結する連結部１５とを備え、合成樹脂にて一体成形されている。本実施形態では、帯体１１，係合部１３，係合部１４は、いずれも結束バンドとして構成されている。
【００１９】
すなわち、係合部１４は帯状に構成されている。そして、図１（Ｃ）のＡ−Ａ線断面図としての図２（Ａ）及び図１に示すように、その中心近傍から先端１４Ｓ（図１における左端）近傍にかけて、係合部１４の長手方向に沿って上面側に複数の歯１４Ａが列設されている。係合部１４の基端１４Ｋ（図２（Ａ）における右端）には、歯１４Ａを係止するバックル１４Ｂが設けられている。このバックル１４Ｂには、先端１４Ｓが上下方向に貫通可能な穴１４Ｃが形成されている。穴１４Ｃの内壁面下部には、先端１４Ｓが穴１４Ｃに下方から挿入されたときに歯１４Ａと係合する爪１４Ｄが形成されている。
【００２０】
爪１４Ｄは弾性変形可能に構成されている。また、爪１４Ｄの歯１４Ａとの当接面は、穴１４Ｃの開口径が下方ほど広くなるように傾斜している。このため、バックル１４Ｂの穴１４Ｃに先端１４Ｓが下方から挿入されたとき、爪１４Ｄは、係合部１４が下方から上方へ向けて穴１４Ｃに押し込まれるときは歯１４Ａが乗り越えるのを許容する。このため、先端１４Ｓが穴１４Ｃに挿入された係合部１４からなる環は、先端１４Ｓを引くことによって径を縮小することができる。一方、爪１４Ｄは、係合部１４が上方から下方へ穴１４Ｃから引き抜かれようとしたとき、歯１４Ａに係合してそれを抑制する。このため、前述のように係合部１４からなる環の径が縮小された後は、その径が拡大することが抑制される。係合部１３も、図１に示すように歯１３Ａとバックル１３Ｂとを備え、係合部１４と同様に構成されている。
【００２１】
図２（Ｂ）のＢ−Ｂ線断面図に示すように、帯体１１も同様に構成されている。ただし、帯体１１のバックル１１Ｂは、帯体１１の先端１１Ｓを当該帯体１１の下面に沿って挿入可能な穴１１Ｃを有している。そして、バックル１１Ｂの穴１１Ｃに先端１１Ｓが基端１１Ｋ側から挿入されたときに、帯体１１は環を形成し、穴１１Ｃの内部に形成された爪１１Ｄは、その環の径が縮小するのを許容する一方、その環の径が拡大するのを抑制する。
【００２２】
図１（Ａ）〜図１（Ｆ）に示すように、連結部１５は長尺矩形の板状に構成されており、その長手方向両端に係合部１３，１４が連結されている。なお、係合部１３，１４は、バックル１３Ｂ，１４Ｂに対して先端１３Ｓ，１４Ｓ側に隣接した部分が、連結部１５の前端，後端に連結されている。また、係合部１３，１４は、連結部１５の長尺方向に直交するように配置されているが、係合部１３は先端１３Ｓが右方向を向くように配置され、係合部１４は先端１４Ｓが左方向を向くように配置されている。
【００２３】
帯体１１は、その長手方向中央部が、連結部１５の長手方向中央部に連結されている。また、帯体１１は、保持具１０に外力が作用していない自然状態では、平面視８０°の角度で連結部１５と交差している。図１（Ａ）〜図１（Ｆ）に示すように、帯体１１，係合部１３，係合部１４，連結部１５は、板厚方向を揃えて連結されており、連結部１５は、帯体１１，係合部１３，係合部１４のバックル１１Ｂ，１３Ｂ，１４Ｂ以外の部分よりも厚肉に構成されている。このため、連結部１５は、帯体１１，係合部１３，係合部１４よりも高い剛性を有する。
【００２４】
次に、このように構成された保持具１０の使用方法及び効果について説明する。図３は、フェライトクランプ９０に保持具１０を装着した例を表している。図３に示すように、フェライトクランプ９０は、円筒を２分割した形状を有するフェライトコア（図示省略：半割磁性体の一例）を個々に保持した一対のケース９１，９２を備えている。各ケース９１，９２に保持されたフェライトコアは、各ケース９１，９２と同様の形状で一回り小さく構成されている。すなわち、ケース９１，９２は、フェライトコアの外周に沿った半割円筒状に構成されており、図示省略したヒンジを介して互いに接続されている。
【００２５】
また、前記一対のフェライトコアを組合せてなる筒状体の軸に沿った貫通孔には電線１００が挿入され、ケース９１，９２にも、その電線１００を貫通させるための半円状の切欠９１Ａ，９２Ａが形成されている。なお、図３では一方しか図示していないが、切欠９１Ａ，９２Ａは、ケース９１，９２の軸方向両側に形成されている。このため、前記筒状体の貫通孔両端の開口部から突出した電線１００は、更に、フェライトクランプ９０の両端の切欠９１Ａ，９２Ａによって形成される円形の孔（電線挿通孔）から突出する。
【００２６】
図３に示す状態のケース９１，９２は、前記一対のフェライトコアが筒状体として組み合わされるように各フェライトコアを個々に保持している。保持具１０は、そのケース９１，９２の周面に、帯体１１を巻回して使用される。歯１１Ａとバックル１１Ｂとを備えたラチェット機構を利用して、帯体１１はケース９１，９２の周面に締め付けられる。このとき、帯体１１は、フェライトクランプ９０の軸と直交する平面に沿って配設される。
【００２７】
続いて、フェライトクランプ９０の両端の切欠９１Ａ，９１Ｂによって構成される円形孔から突出した（以下、単に、フェライトクランプ９０の両端から突出したという）電線１００に、係合部１３，１４が同様に締め付けられる。すると、連結部１５は、一対の係合部１３，１４を連結するように、フェライトクランプ９０の軸に沿った方向に配設される。すなわち、帯体１１と連結部１５とは直交する位置に配設されようとする。前述のように、保持具１０に外力が作用していない自然状態では、帯体１１と連結部１５とは８０°の角度で交差しているので、このとき、図３（Ｂ），（Ｄ）に示すように帯体１１にねじれが生じる。
【００２８】
すなわち、連結部１５が帯体１１と連結される部分の中心（図１（Ａ）に矢印Ｘで示す部分）から、係合部１３，１４が電線１００に係合したときにその係合部１３，１４に対して電線１００の中心が配設される位置（図１（Ａ）に矢印Ｙで示す位置）に至る方向は、保持具１０に外力が作用していない自然状態では、帯体１１の長手方向に対して９０°とは異なる角度で交差している。このように連結部１５によって規定された係合部１３，１４と帯体１１との位置関係により、フェライトクランプ９０及び電線１０への装着時には、帯体１１に前述のようなねじれが生じる。
【００２９】
このねじれは、帯体１１が形成する環の内周を小さくし、帯体１１がフェライトクランプ９０の周面を締め付ける強度を向上させる。すなわち、１ラチェット分（歯１１Ａの１歯分）の帯体１１の緩みを吸収することができる。また、そればかりでなく、更に締め付け強度を向上させることができる場合もある。したがって、保持具１０を用いた場合、フェライトクランプ９０を良好な強度で締め付けることができる。
【００３０】
また、保持具１０は、係合部１３，１４が電線１００を締め付けることによって、フェライトクランプ９０と共に電線１００の所定位置に固定されることができる。したがって、フェライトコアを適切な位置に固定して雑音電流の吸収が一層良好に行われるようにすることができる。
【００３１】
［第２実施形態］
図４（Ａ）〜図４（Ｆ）に示す保持具２０は、係合部１３，１４の代わりに、係合部２３，２４を連結部１５の両端に設けた点において保持具１０と異なり、他は保持具１０と同様に構成されている。なお、以下の各実施形態において、保持具１０と同様に構成された箇所には、対応する図面で図１〜図３と同様の参照符号を付して構成の詳細な説明を省略する。以下、相違点について説明する。
【００３２】
係合部２３，２４は、連結部１５の前後方向両端から上方に起こされており、その先端中央にはＶ字形の切り込み２３Ａ，２４Ａが形成されている。このように構成された保持具２０は、図５に示すように、切り込み２３Ａ，２４Ａに、フェライトクランプ９０の両端から突出した電線１００がそれぞれ差し込まれた後、帯体１１がフェライトクランプ９０の周面に締め付けられる。
【００３３】
保持具２０に外力が作用していない自然状態では、連結部１５と帯体１１とが８０°の角度で交差しているため、帯体１１を締め付ける前は、帯体１１はフェライトクランプ９０の軸に対して８０°の角度で交わる平面に沿って配設される。ところが、帯体１１が締め付けられるにしたがって、帯体１１は、フェライトクランプ９０の軸と直交する平面に沿って配設されるように徐々に変位する。このため、保持具２０でも、帯体１１が強く締め付けられるほど、その帯体１１がねじられることになり、保持具１０と同様、フェライトクランプ９０を良好な強度で締め付けることができる。
【００３４】
［第３実施形態］
図６（Ａ）〜図６（Ｆ）に示す保持具３０は、連結部１５と帯体１１とが直交している点と、係合部３３，３４における切り込み３３Ａ，３４Ａの形成位置において保持具２０と異なり、他は保持具２０と同様に構成されている。すなわち、切り込み３３Ａは、係合部３３の先端右寄りの位置からＶ字形に切り込まれて形成されており、切り込み３４Ａは、係合部３４の先端左寄りの位置からＶ字形に切り込まれて形成されている。
【００３５】
このため、保持具３０では、当該保持具３０に外力が作用していない自然状態では、切り込み３３Ａ，３４Ａの中心を結ぶ線は帯体１１の長手方向に対して８５°の角度で交差している。また、連結部１５が帯体１１と連結される部分の中心から、係合部３３，３４が電線１００に係合したときにその係合部３３，３４に対して電線１００の中心が配設される位置（切り込み３３Ａ，３４Ａの中心）に至る方向は、保持具３０に外力が作用していない自然状態では、帯体１１の長手方向に対して９０°とは異なる角度で交差している。したがって、保持具３０では、連結部１５と帯体１１とが直交しているにも拘わらず、保持具２０と同様の効果が生じる。すなわち、図７に示すように帯体１１がねじられることにより、フェライトクランプ９０を良好な強度で締め付けることができる。
【００３６】
［第４実施形態］
また、前記各保持具１０〜３０は、全体を合成樹脂にて一体成形されているが、本発明の保持具は複数の部品を組み合わせて保持具を構成されてもよい。図８（Ａ）〜図８（Ｆ）に示す保持具４０は、面ファスナを打ち抜いて構成された帯体４１と、合成樹脂にて一体成形された樹脂部品４２とを組み合わせて構成されている。
【００３７】
図９（Ａ）〜図９（Ｆ）に示すように、樹脂部品４２は、前後方向（長尺方向）両端に係合部４３，４４が形成された長尺板状の連結部４５と、その連結部４５の長手方向中央部で平面視８０°の角度で交差して設けられた帯体支持部４６とを備えている。係合部４３は、連結部４５の左前角部から上方に突出し、右方向に湾曲している。係合部４４は、連結部４５の右後角部から上方に突出し、左方向に湾曲している。帯体支持部４６は、連結部４５と同一平面上に同一板厚に構成され、前記８０°の角度で交差した方向の両端から上方に突出した矩形の枠４６Ａを備えている。この一対の枠４６Ａと帯体支持部４６の上面との間には、帯体４１を挿入することができる。その挿入によって、その帯体４１を帯体支持部４６の上面に支持固定することができる。
【００３８】
また、帯体４１は、図１０に示すように、一端に幅広部４１Ｂを備えており、その幅広部４１Ｂに帯体４１の他の部分を貼着することで、フェライトクランプ９０を締め付ける環を形成することができる。この帯体４１を、幅広部４１Ｂと反対側（先端４１Ｓ側）から、帯体支持部４６の上面と枠４６Ａとの間に挿入して支持することにより、図８に示した保持具４０が得られる。なお面ファスナは、フック面とループ面が１枚のテープで背中合わせとなる構造になっているものや、テープの同一面にフックとループが混在する構造になっているものを用いると、作業性を一層向上させることができる。
【００３９】
この保持具４０でも、連結部４５が帯体４１と連結される部分の中心（一対の枠４６Ａの各側端部の中間点）から、係合部４３，４４が電線１００に係合したときにその係合部４３，４４に対して電線１００の中心が配設される位置（係合部４３，４４の湾曲方向内面中央から電線１００の半径分離れた位置）に至る方向は、保持具４０に外力が作用していない自然状態では、帯体４１の長手方向に対して９０°とは異なる角度で交差している。
【００４０】
このように構成された保持具４０は、係合部４３，４４の湾曲方向内側に、フェライトクランプ９０の両端から突出した電線１００を係合させ、かつ、図１１（Ｂ）における時計回り方向に回転された後、帯体４１がフェライトクランプ９０の周囲に巻回される。すると、電線１００から係合部４３，４４に加わる力によって帯体４１がねじられ、前記各実施形態と同様に、フェライトクランプ９０を良好な強度で締め付けることができる。
【００４１】
［第５実施形態］
図１２（Ａ）〜図１２（Ｃ）に示す保持具５０は、保持具１０と同様の帯体１１を備えており、そのバックル１１Ｂに一対の連結部５５が連結されている。連結部５５は、帯体１１のバックル１１Ｂ以外の部分と同一平面上かつ同一板厚の長尺板状に構成されている。一対の連結部５５は、全体として、帯体１１と８０°の角度で交差しており、前側の連結部５５の前端には係合部５３が、後側の連結部５５の後端には係合部５４が、それぞれ設けられている。係合部５３，５４は、バックル１１Ｂから離れる側が開口したＵ字形のフック状に形成されており、そのフック形状の内側に電線１００が係合する。また、係合部５３，５４のバックル１１Ｂから離れる側の端部には、紐状部分５８を介して矩形平板状の貼着部５９がそれぞれ設けられている。この一対の貼着部５９の上面又は下面には図示省略した面ファスナが取り付けられ、一対の貼着部５９を互いに貼着できるようにされている。
【００４２】
この保持具５０でも、連結部５５が帯体１１と連結される部分の中心から、係合部５３，５４が電線１００に係合したときにその係合部５３，５４に対して電線１００の中心が配設される位置（前記Ｕ字形状の中心）に至る方向は、保持具５０に外力が作用していない自然状態では、帯体１１の長手方向に対して９０°とは異なる角度で交差している。
【００４３】
このように構成された保持具５０は、図１３に示すように、帯体１１が保持具１０と同様にフェライトクランプ９０に締め付けられる。その後、フェライトクランプ９０の両端から突出した電線１００が係合部５３，５４に係合され、更に一対の貼着部５９同士が貼着される。このとき、一対の連結部５５が互いに隔離する方向に引っ張られ、その力によって帯体１１がねじられる。したがって、保持具５０でも、前記各実施形態と同様に、フェライトクランプ９０を良好な強度で締め付けることができる。
【００４４】
［本発明の他の実施形態］
なお、本発明は前記実施形態に何ら限定されるものではなく、本発明の要旨を逸脱しない範囲で種々の形態で実施することができる。例えば、前記角度は８０°に限定されるものではなく、９０°以外であればどのような角度であってもそれなりに効果が生じる。ただし、前記角度が６５°以上（望ましくは７５°以上）であった方が、保持具の装着作業が容易である。また、前記角度が９０°未満（望ましくは８５°以下）であった方が前記ねじれによる締め付け効果が良好に表れる。したがって、前記角度が６５°以上９０°未満（望ましくは７５°〜８５°）の間のいずれかの角度である場合、装着作業の作業性を一層向上させ、かつ、フェライトクランプ９０を一層良好な強度で締め付けることができる。
【００４５】
また、前記各実施形態ではフェライトクランプ９０を締め付けて保持しているが、電線が挿入されたフェライトコアを直接締め付けて保持してもよい。そのような使用例は、各図において参照符号の「９１」又は「９２」を付した部材を、円筒を２分割した形状を有するフェライトコアとみなすことによって説明することができる。
【００４６】
また、連結部及び帯体の形態は、種々に変更することができる。ただし、前記各実施形態では、連結部１５，４５，５５及び帯体１１，４１が長尺の板状に構成されている。しかも、その連結部１５，４５，５５及び帯体１１，４１は、図１，図４，図６，図８，図１２に示すように平面状に展開されたとき、連結部１５，４５，５５及び帯体１１，４１の板厚方向が揃う。このため、前記各実施形態では、フェライトクランプ９０に装着されたときに帯体１１，４１にねじれを生じさせる力は、板状の部材の面に沿って（すなわち、曲げ剛性の大きい方向に沿って）作用し、前記ねじれを一層良好に生じさせることができる。したがって、前記各実施形態では、フェライトクランプ９０を、一層良好な強度で締め付けることができる。また、係合部は片方だけ設けてもよい。
【００４７】
また、保持具５０の係合部５３，５４は、他の保持具１０〜４０の係合部のような機械的強度を必ずしも必要としない。また、帯体１１は帯体４１のような面ファスナに置き換えることも可能である。したがって、保持具５０と同様の形状（ただし、バックル１１Ｂの部分も他の部分と同様の肉厚とする）となるように面ファスナを打ち抜くことによって、保持具を構成してもよい。
【符号の説明】
【００４８】
１０，２０，３０，４０，５０…保持具                      １１，４１…帯体
１３，１４，２３，２４，３３，３４，４３，４４，５３，５４…係合部
１５，４５，５５…連結部            ２３Ａ，２４Ａ，３３Ａ，３４Ａ…切り込み
４１Ｂ…幅広部              ４２…樹脂部品                  ４６…帯体支持部
５９…貼着部                ９０…フェライトクランプ        ９１，９２…ケース
９１Ａ，９２Ａ…切欠        １００…電線
【図１】
2015103613.tif 000003
【図２】
2015103613.tif 000004
【図３】
2015103613.tif 000005
【図４】
2015103613.tif 000006
【図５】
2015103613.tif 000007
【図６】
2015103613.tif 000008
【図７】
2015103613.tif 000009
【図８】
2015103613.tif 000010
【図９】
2015103613.tif 000011
【図１０】
2015103613.tif 000012
【図１１】
2015103613.tif 000013
【図１２】
2015103613.tif 000014
【図１３】
2015103613.tif 000015